(57)【要約】【課題】成形品の離型の問題を簡易安価に解決することができるブロー成形用金型を提供する。【解決手段】パリソンを用いる、分割型のブロー成形用金型５であって、分割面５ａ方向に付勢された一対の離型用押さえ具１を備え、この一対の離型用押さえ具１は、成形後の右金型５Ａと左金型５Ｂとが一定距離相互に分割面５ａから離間する間（距離Ｌ）、パリソンの金型からのはみ出し部分を相対向して押圧保持するように構成されている。【選択図】図１
2008093893.tif 000002
【特許請求の範囲】
【請求項１】
パリソンを用いる、分割型のブロー成形用金型であって、
分割面方向に付勢された一対の離型用押さえ具を備え、
この一対の離型用押さえ具は、成形後の金型が一定距離相互に分割面から離間する間、パリソンの金型からのはみ出し部分を相対向して押圧保持するように構成されていることを特徴とするブロー成形用金型。
【発明の詳細な説明】
【技術分野】
【０００１】
本発明は、合成樹脂成形品を、パリソンを用いてブロー成形する分割型のブロー成形用金型に関する。
【背景技術】
【０００２】
合成樹脂成形品の成形方法として、ブロー成形法と称されるものがあり、その中でも、成形前の素材としてチューブ状のパリソンを用い、このパリソンを分割型のブロー成形用金型の中に入れて、パリソン内部に空気を吹き込んで膨張させ、パリソンを金型の形状に沿わせることで成形を行うものがある。
【０００３】
図３（ａ）は、本発明のブロー成形用金型で成形される成形品の一例を示す外観図、（ｂ）は（ａ）の側面図であり、この成形品も上述の方法で成形されるものである。
【０００４】
この成形品Ｋは、栽培用の苗を育成するための育苗ポットとして用いられるものであり、全体として、四角形状で上広がりに開口したカップ形状をしており、その側壁に内側への線状の窪みとして設けられた根巻き防止リブＫａを備えている。
【０００５】
成形品Ｋの底部は全体が平面でなく、その収容側に底面を立ち上がらせる底面リブ部Ｋｂが設けられている。この底面リブ部Ｋｂは、育苗ポットとして、底部分の水はけ改善等を目的として要求されるものである。
【０００６】
このような形状の成形品Ｋを成形する場合、そのブロー成形用金型１０としては、図３（ｂ）に二点鎖線の想像線で示すように、成形品Ｋの開口側を対面させた二個取りのものとして構成され、また、分割面１０ａは、左右対称な成形品Ｋの対称中心軸を含む面とするのが通常の方法である。
【０００７】
この場合、ブロー成形用金型１０には、成形品Ｋの底面リブ部Ｋｂに対応した凸部１０ｃが必要であるが、この凸部１０ｃは、成形品Ｋの成形後に、金型１０が分割面１０ａで分離しようとする場合に、上下への逃げもないので、この凸部１０ｃと底面リブ部Ｋｂとの係合により、成形品Ｋが金型１０から離れにくくする部分として作用する。
【０００８】
なお、分割面１０ａで分割された金型１０の左側を便宜的に左金型１０Ａ、右側を右金型１０Ｂとする。
【０００９】
図４は、上述した図３の成形品を本発明の背景技術であるブロー成形用金型で成形する成形方法を順に示す図である。
【００１０】
この図４において、符号Ｄは、成形品Ｋの素材としてのパリソンＰを順に押し出す押出機であり、他の部分については、既に、図３で説明している。
【００１１】
まず、図４（ａ）に示すように、先の成形後のブロー成形用金型１０の左金型１０Ａ、右金型１０Ｂを分割面１０ａを中心に相互に離間させ、先に成形された成形品Ｋを、押し出し機ＤからパリソンＰを押し出すことによって、金型１０部分より下方になるようにして、次の成形すべきパリソンＰが、左金型１０Ａと右金型１０Ｂとの間となるようにする。
【００１２】
ついで、図４（ｂ）に示すように、左金型１０Ａ、右金型１０Ｂの分割面１０ａを当接させて、金型１０内のパリソンＰに空気を送り込みブロー成形する。
【００１３】
その後、成形が済んだら、成形品Ｋを金型１０から外すために、左金型１０Ａ、右金型１０Ｂを左右に離間させるが、この場合、特に、離型手段を設けていない場合には、上述したように、成形品Ｋの底面リブ部Ｋｂと金型１０の凸部１０ｃとの係合により、図４（ｃ）に示すように、成形品Ｋがうまく離型せず、金型１０の一方に残る場合がある。
【００１４】
そうすると、数珠つなぎになった成形品Ｋが、次の成形のために下降せず、成形全体の流れを留めざるを得なくなり、改善が望まれていた。
【００１５】
一般にこのような場合、金型の内側から成形品を押し出す押し出しピンなどを設けたり、圧縮空気を吹き付けたりする方法があるが、これらの方法は、金型そのものの中に入れ込む必要があり、金型が高価となり、小ロット成形用の金型には不向きであった。
【００１６】
パリソンを用いる分割型のブロー成形用金型については、特許文献１にも記載があるが、この特許文献１には、離型の問題についての記載がなく、ましてや、上記問題解決に関する記載はなかった。
【００１７】
また、この特許文献１に記載されたようなロータリー式の成型機においては、同じ金型を多数必要とするので、なおのこと、一個当たりの金型のコストダウンと、離型手段の簡素化への要請は大きいものであった。
【００１８】
また、離型性の改善は、上述した形状に依存するものだけでなく、一般に成形工程の円滑化の点からも求められているものであった。
【特許文献１】特許第２５６９３７８号公報（第１図）
【発明の開示】
【発明が解決しようとする課題】
【００１９】
本発明は、上記問題を解決しようとするもので、成形品の離型の問題を簡易安価に解決することができるブロー成形用金型を提供することを目的としている。
【課題を解決するための手段】
【００２０】
請求項１記載のブロー成形用金型は、パリソンを用いる、分割型のブロー成形用金型であって、分割面方向に付勢された一対の離型用押さえ具を備え、この一対の離型用押さえ具は、成形後の金型が一定距離相互に分割面から離間する間、パリソンの金型からのはみ出し部分を相対向して押圧保持するように構成されていることを特徴とする。
【発明の効果】
【００２１】
請求項１記載のブロー成形用金型によれば、分割面方向に付勢された一対の離型用押さえ具を備え、この一対の離型用押さえ具は、成形後の金型が一定距離相互に分割面から離間する間、パリソンの金型からのはみ出し部分を相対向して押圧保持するように構成されているので、成形品の離型の問題を簡易安価に解決することができる。
【発明を実施するための最良の形態】
【００２２】
以下に、本発明の実施の形態（実施例）について、図面を用いて説明する。
【００２３】
図１は、本発明のブロー成形用金型の一例を示すもので、（ａ）はその全体外観図、（ｂ）はそのスライド棒部分の断面図、（ｃ）は（ｂ）のＡ矢視図、図２は、図１のブロー成形用金型を用いた成形方法を順に示す図である。
【００２４】
このブロー成形用金型５は、左金型５Ａと右金型５Ｂとからなる分割型であり、その中にパリソンを挟み込んでブロー成形を行うために用いられるものであるが、分割面５ａ方向に付勢された一対の離型用押さえ具１を備えている点を特徴とする。
【００２５】
この離型用押さえ具１は、成形後の左金型５Ａと右金型５Ｂとが、成形品Ｋを離型するために、一定距離相互に分割面５ａから離間する間、パリソンの金型からのはみ出し部分を相対向して押圧保持するように構成されている。この点を中心として、以下、より詳しく説明する。
【００２６】
ブロー成形用金型５は、分割面５ａによって、左金型５Ａと右金型５Ｂに分割されているが、いずれの金型５Ａ、５Ｂも立方体形状の本体部５ｂから成っている。本体部５ｂには分割面５ａに臨むように、成形品Ｋを対称面で分割して成形する雌型が形成されている。
【００２７】
左金型５Ａと右金型５Ｂとの本体部５ｂの上下部分に、一対の離型用押さえ具１が相対向して向き合うように、この例では、後付け状態で設置されている。
【００２８】
離型用押さえ具１は、左金型５Ａと右金型５Ｂとの分割面５ａが当接された際に相互に当接する押さえ板１ａ、この押さえ板１ａをスライド可能に支持する３本のスライド棒１ｃ、３本のスライド棒１ｃをスライド可能に貫通させる基端ブロック１ｅ、３本のスライド棒１ｃに外嵌されたスプリング１ｄ、及び、３本のスライド棒１ｃの後端部分に嵌め込まれたストップリング１ｆを備えている。
【００２９】
押さえ板１ａは、３本のスライド棒１ｃの先端側に設置されている。スプリング１ｄは、基端ブロック１ｅと押さえ板１ａとの間に付勢力を与え、基端ブロック１ｅに対して、押さえ板１ａを分割面５ａ方向に付勢するものである。
【００３０】
ストップリング１ｆは、スライド棒１ｃが基端ブロック１ｅから抜け出さないようにするためのものである。
【００３１】
押さえ板１ａの相手との当接側に設けられた凹所１ｂは、ここに挟まれるパリソン部分からブロー成形用の空気を送る必要がある場合の空気通路を確保するためのものである。したがって、ここからブロー成形用の空気を送る必要のない場合には、不要のものである。
【００３２】
基端ブロック１ｅは、本体部５ｂにネジ手段１ｇで取り付け固定できる、後付けタイプである。しかしながら、金型の製作段階から、この基端ブロックに相当する部分を一体的に設けておいてもよい。
【００３３】
本体部５ｂの符号２ａは、ロータリー成形機の場合に設けられるブローノズルであり、このブローノズル２ａは、パリソンからブロー成形用の空気が送られる場合には、不要のものである。
【００３４】
このような構成の離型用押さえ具１は、図１（ｂ）に示すように、スプリング１ｄが付勢力を与える範囲内で、かつ、後端のストップリング１ｆが基端ブロック１ｅの端面に当接する状態で、押さえ板１ａの前面が、分割面５ａから距離Ｌだけ突出し、左金型５Ａと右金型５Ｂとの分割面５ａが当接された際には、この距離Ｌだけ後退した状態で、この分割面５ａと同じ位置で、対向する押さえ板１ａの前面と当接状態を維持するものである。
【００３５】
さて、このような離型用押さえ具１を備えたブロー成形用金型５によれば、図２に示すように、離型の問題を解決することができる。なお、図２において、すでに説明した部分については、同じ部号を付して重複説明を省略する。
【００３６】
図２（ａ）は、成形品Ｋの離型が済んで、左金型５Ａと右金型５Ｂとが離間し、次のパリソンＰが押出機Ｄから押し出されている状態を示している。この状態で、離型用押さえ具１の押さえ板１ａは、金型５の分割面５ａから突出しているが、パリソンＰの押し出しには支障となるものではない。
【００３７】
図２（ｂ）は、左金型５Ａと右金型５Ｂとが当接し、ブロー成形が行われている状態を示している。この状態で、離型用押さえ具１の押さえ板１ａは、金型５の分割面５ａと同じ位置で相互に当接しているが、ブロー成形に影響を与えるものではない。
【００３８】
図２（ｃ）は、成形の終了後、離型のために、左金型５Ａと右金型５Ｂとが僅かに離間している状態を示している。この状態で、左金型５Ａと右金型５Ｂとの分割面５ａは離間しているが、離型用押さえ具１の押さえ板１ａ同士は相互に当接し、その間にパリソンＰの金型５からはみ出した部分Ｐａが押圧保持されている。
【００３９】
よって、上下の押さえ板１ａに押圧保持されたパリソンＰａにより、成形品Ｋは対称中心位置を保持し、左金型５Ａと右金型５Ｂだけが離間して、成形品Ｋの離型が円滑に行われる。
【００４０】
図２（ｄ）は、更に左金型５Ａと右金型５Ｂとの離間が進み、離型用押さえ具１の押さえ板１ａ同士も相互に当接状態から離間状態となっている状態を示している。この状態で、押出機Ｄは、離型用押さえ具１の押さえ板１ａに邪魔されることなく、パリソンＰを必要な長さだけ押し出しし、図２（ａ）の状態とし、次のブロー成形のサイクルに入ることができる。
【００４１】
上記から解るように、本発明の離型用押さえ具を備えたブロー成形用金型よれば、非常に簡易な構成でありながら、離型の問題を解決することができる。つまり、本発明によれば、成形品の離型の問題を簡易安価に解決することができる。
【００４２】
つまり、このブロー成形用金型は、従来から離型の際、押し出しピンなどにより金型から引き離す力を作用させる対象が成形品そのものであったのを、成形に直接関与しないが成形品に繋がっているパリソン部分、より好適には金型からはみ出したパリソン部分に作用させるようにした点を特徴とし、これにより、離型の目的を達成しながら、上記の効果を発揮すると共に、成形品に損傷を与えることがない、という効果をも発揮するものである。
【００４３】
また、本発明のブロー成形用金型は、離型用押さえ具によってパリソン部分を付勢力により押圧保持するという構成なので、その関連部品は簡単なものであり、動力源や空気の供給も不要であり、簡易安価であるので、金型全体のコストダウンも図ることができ、特に小ロット製品用の金型として適している。
【００４４】
なお、一対の離型用押さえ具は、上記実施の態様のものに限定されず、分割面方向に付勢され成形後の金型が一定距離相互に分割面から離間する間、パリソンの金型からのはみ出し部分を相対向して押圧保持するように構成されたものであれば、どのようなものであってもよい。
【００４５】
例えば、付勢手段はスプリングに限定されず、弾性を有するものであれば、適用可能である。また、押さえ板自体を一定の弾性を有するもので構成し、伸長時には、分割面から突出するが、収縮時には、分割面まで後退するようなものとしてもよい。
【００４６】
また、離型用押さえ具を、金型の本体部内に収容して、押さえ板が分割面から突出、収納されるようにしてもよい。この場合は、パリソンは金型内にあるが、成形品の部分ではないパリソン部分を押圧保持するという点で本発明の思想の中に含まれるものである。
【００４７】
また、本発明のブロー成形用金型について、ここでは、いわゆる双頭型成形機（図２の押出機を二つ設置し、成形ラインを横列させ、交互に金型を開閉するもの）において、成形品とパリソンとが数珠つなぎになるような態様で成形するのに用いた場合を例示したが、本発明のブロー成形用金型は、これに限定されず、一個単位で成形するものにも適用可能である。
【００４８】
また、特許文献１に示されたようなロータリー式の成形機においても、設置スペースの問題が解決されれば、適用可能であり、その場合には、この成形機では、金型を多数使用するので、本発明のブロー成形用金型の簡易安価という効果がより大きく発揮される。
【００４９】
また、金型単独で離型機能を発揮するので、成形機側で、離型に関する付加設備が不要となるので、その点でも有利である。
【００５０】
また、本発明のブロー成形用金型の特徴である離型用押さえ具は、金型がブロー用であるか、吸引用（真空成形用）であるか、両者を併せて用いるものであるかどうかには、関係なくその効果を発揮するものである。
【００５１】
また、本発明のブロー成形用金型で成形される成形品の例として、ここでは、育苗用ポットを示したたが、もちろん、成形対象はこれに限られるものではなく、離型の問題がある場合に、特に、形状の点から離型が困難な場合に、本発明のブロー成形用金型は、その効果を十分に発揮するものである。
【産業上の利用可能性】
【００５２】
本発明のブロー成形用金型は、パリソンを用いる分割型の金型として、成形品の離型の問題を簡易安価に解決することが要請される産業分野に用いることができる。
【図面の簡単な説明】
【００５３】
【図１】本発明のブロー成形用金型の一例を示すもので、（ａ）はその全体外観図、（ｂ）はそのスライド棒部分の断面図、（ｃ）は（ｂ）のＡ矢視図
【図２】図１のブロー成形用金型を用いた成形方法を順に示す図
【図３】（ａ）は、本発明のブロー成形用金型で成形される成形品の一例を示す外観図、（ｂ）は（ａ）の側面図
【図４】図３の成形品を本発明の背景技術であるブロー成形用金型で成形する成形方法を順に示す図
【符号の説明】
【００５４】
１        離型用押さえ具
５        ブロー成形用金型
５Ａ      ブロー成形用左金型
５Ｂ      ブロー成形用右金型
５ａ      分割面
Ｐ        パリソン
Ｐａ      はみ出し部分
【図１】
2008093893.tif 000003
【図２】
2008093893.tif 000004
【図３】
2008093893.tif 000005
【図４】
2008093893.tif 000006